(57)【特許請求の範囲】
【請求項１】
基部の両側から立設する一対の側壁の互いの間に配線を収容する収容部を有するケース本体と、前記収容部を覆う蓋部と、を有し、前記蓋部が相手部材に向いた状態で前記相手部材に取り付けられるプロテクタにおいて、
前記一対の側壁の各々に連なりかつ前記ケース本体に前記蓋部が取り付けられたときに、前記蓋部の表面よりも高くなるように前記表面側に突出して前記相手部材に当接する複数の突出部を有し、
前記複数の突出部の各々の厚さが前記側壁よりも厚くなるように形成され、前記複数の突出部が前記相手部材から前記蓋部に直接力が加わることを阻止するようにしたことを特徴とするプロテクタ。
【請求項２】
前記一対の突出部が、前記基部の両側から立設するように形成されていることを特徴とする請求項１に記載のプロテクタ。
【請求項３】
前記突出部が、前記側壁に一体的に形成されていることを特徴とする請求項１又は２に記載のプロテクタ。
【請求項４】
前記蓋部の表面と前記一対の突出部の各収容壁との間に形成された第２収容部を有し、
前記第２収容部に前記配線が配置され、この状態で前記第２収容部の開口を塞ぐように、前記複数の突出部の先端を前記相手部材に当接させて前記相手部材に取り付けられたことを特徴とする請求項１〜３の何れか１項に記載のプロテクタ。
【発明の詳細な説明】
【技術分野】
【０００１】
本発明は、基部の両側から立設する一対の側壁の互いの間にワイヤハーネスを収容して蓋部で覆うプロテクタに関するものである。
【背景技術】
【０００２】
移動体としての自動車などには、種々の電子機器が搭載される。このため、前記自動車などは、前記電子機器に電源などからの電力やコンピュータなどからの制御信号などを伝えるために、ワイヤハーネスを配索している。ワイヤハーネスは、複数の電線と、該電線の端部などに取り付けられたコネクタなどを備えている。
【０００３】
電線は、導電性の芯線と該芯線を被覆する絶縁性の合成樹脂からなる被覆部とを備えている。電線は、所謂被覆電線である。コネクタは、導電性の端子金具と絶縁性のコネクタハウジングとを備えている。端子金具は、電線の端部などに取りつけられかつ該電線の芯線と電気的に接続する。コネクタハウジングは、箱状に形成されかつ端子金具を収容する。
【０００４】
ワイヤハーネスは、プロテクタに収容されて保護されている。このようなプロテクタとしては、引用文献１に示すものが知られている。図４において、プロテクタ１００のプロテクタ本体１３０の両側壁１９０ａ、１９０ｂと底部１７０との連続部１２３ａ、１２３ｂには、所定の間隔を開けて複数個の略三角形状の倒れ込み防止リブ１２５がプロテクタ本体１３０と一体に成形されている。この倒れ込み防止リブ１２５は、プロテクタ本体１３０と一体に成形され、収縮により、内側に倒れ込もうとする側壁１９０ａ、１９０ｂを外側へ向けて引っ張り、内側への倒れ込みを防止する。また、側壁１９０ａ、１９０ｂが内側へ倒れ込むことがないので、ワイヤハーネスを容易に挿入することが出来、この後には、上部開口を蓋体１５０で閉止する。このとき、両側壁１９０ａ、１９０ｂが内側に倒れ込んでいないので、蓋体１５０のロックアーム１５１を係止枠１５５の係止穴１５７内に容易に挿入することが出来る。
【特許文献１】特開平５−１５４８７９号公報
【発明の開示】
【発明が解決しようとする課題】
【０００５】
しかしながら、上述したプロテクタ１００は、蓋体１５０の上方から力Ｐが加わると、蓋体１５０の変形、破壊等が発生してしまい、最悪の場合は、プロテクタ１００内に収容しているワイヤハーネスが断線してしまう可能性があった。特に、上述したプロテクタ１００の場合、両側壁１９０ａ、１９０ｂの倒れ込みを防止する倒れ込み防止リブ１２５が存在しているために、蓋体１５０が上を向いた状態で相手部材に取り付けられることになり、蓋体１５０に力Ｐが加わる可能性が高かった。
【０００６】
よって本発明は、上述した問題点に鑑み、収容する配線を確実に保護することができるプロテクタを提供することを課題としている。
【課題を解決するための手段】
【０００７】
上記課題を解決するため本発明によりなされた請求項１記載のプロテクタは、基部の両側から立設する一対の側壁の互いの間に配線を収容する収容部を有するケース本体と、前記収容部を覆う蓋部と、を有し、前記蓋部が相手部材に向いた状態で前記相手部材に取り付けられるプロテクタにおいて、前記一対の側壁の各々に連なりかつ前記ケース本体に前記蓋部が取り付けられたときに、前記蓋部の表面よりも高くなるように前記表面側に突出して前記相手部材に当接する複数の突出部を有し、前記複数の突出部の各々の厚さが前記側壁よりも厚くなるように形成され、前記複数の突出部が前記相手部材から前記蓋部に直接力が加わることを阻止するようにしたことを特徴とする。
【０００８】
上記請求項１に記載した本発明のプロテクタによれば、一対の側壁に連なりかつ前記ケース本体に前記蓋部が取り付けられたときに、前記蓋部の表面よりも高くなるように前記表面側に突出して前記相手部材に当接するように複数の突出部を形成しているので、前記相手部材から蓋部の表面に向かう力は、まず複数の突出部に伝達されるため、蓋部に直接力が加わることを防止することができる。
【０００９】
上記課題を解決するためになされた請求項２記載の発明は、請求項１に記載のプロテクタにおいて、前記一対の突出部が、前記基部の両側から立設するように形成されていることを特徴とする。
【００１０】
上記請求項２に記載した本発明のプロテクタによれば、突出部を基部の両側から立設するとともに一対の側壁に連なるように形成しているので、突出部の強度を高めることができる。
【００１１】
上記課題を解決するためになされた請求項３記載の発明は、請求項１又は２に記載のプロテクタにおいて、前記突出部が、前記側壁に一体的に形成されていることを特徴とする。
【００１２】
上記請求項３に記載した本発明のプロテクタによれば、突出部が側壁に一体的に形成しているので、ケース本体の構造が複雑化することを防止することができる。また、基部の両側から立設するようにすれば、側壁及び突出部の厚さを厚くすることができるため、側壁の収容部への倒れ込みを防止することができる。
【００１３】
上記課題を解決するためになされた請求項４記載の発明は、請求項１〜３の何れか１項に記載のプロテクタにおいて、前記蓋部の表面と前記一対の突出部の各収容壁との間に形成された第２収容部を有し、前記第２収容部に前記配線が配置され、この状態で前記第２収容部の開口を塞ぐように、前記複数の突出部の先端を前記相手部材に当接させて前記相手部材に取り付けられたことを特徴とする。
【００１４】
上記請求項４に記載した本発明のプロテクタによれば、蓋部の表面側に突出した一対の突出部と蓋部と相手部材とに間に他の配線を収容する第２収容部を形成するようにしたことから、構成、組立工程等が異なる他の配線も収容して保護することができる。
【発明の効果】
【００１５】
以上説明したように請求項１に記載した本発明のプロテクタによれば、一対の側壁に連なり且つ前記ケース本体に前記蓋部が取り付けられたときに、前記蓋部の表面よりも高くなるように前記表面側に突出して前記相手部材に当接するように複数の突出部を形成して、蓋部に相手部材から直接力が加わることを防止するようにしたことから、蓋部の変形、破損等を防止することができるため、ケース本体の収容部に収容する配線を確実に保護することができる。従って、プロテクタの安全性を向上させることができる。
【００１６】
請求項２に記載の発明によれば、請求項１に記載の発明の効果に加え、突出部を基部の両側から立設するとともに一対の側壁に連なるように形成するようにしたことから、突出部の強度を高めることができるため、蓋部の変形、破損等をより一層確実に防止することができる。
【００１７】
請求項３に記載の発明によれば、請求項１又は２に記載の発明の効果に加え、突出部を側壁に一体的に形成するようにしたことから、ケース本体の構造が複雑化することを防止することができる。また、基部の両側から立設させることで、側壁及び突出部の厚さを厚くすることができるため、側壁の収容部への倒れ込みを防止することができる。
【００１８】
請求項４に記載の発明によれば、請求項１〜３の何れか１項に記載の発明の効果に加え、蓋部の表面側に突出した一対の突出部と蓋部と相手部材とに間に他の配線を収容する第２収容部を形成し、構成、組立工程等が異なる他の配線も収容して保護できるようにしたことから、従来２部品で保護していたものを、本発明のプロテクタのみで保護することができるため、コストダウンを図ることができる。また、組立工程等が異なる他の配線も収容することができるため、組立設備等に自由度を持たせることができ、作業効率、生産効率等の向上を図ることができる。
【発明を実施するための最良の形態】
【００１９】
以下、本発明に係るプロテクタの一実施の形態を、図１〜図３の図面を参照して説明する。
【００２０】
図１〜３において、プロテクタ１は、内部に配線であるワイヤハーネス２を収容するケース本体１０と、該ケース本体の開口を覆う蓋部２０と、一対の突出部３０，３０と、を有している。プロテクタ１は、合成樹脂等で形成されており、車両の車体、パネル等の相手部材５に固定される。
【００２１】
ワイヤハーネス２は、周知であるように、複数の電線と、該電線の端部などに取り付けられたコネクタと、を有するものであるが、本発明においえう配線としては、１又は複数の電線、ケーブルなど種々異なるものを用いることができる。また、ワイヤハーネス２については、コルゲートチューブで覆ったものを用いることもできる。
【００２２】
ケース本体１０は、基部１１と、一対の側壁１２，１２と、収容部１３と、を有しており、基部１１と一対の側壁１２は、合成樹脂等によって一体的に形成されている。ケース本体１０は、基部１１と一対の側壁１２，１２とによって断面、つまり収容部１３が略Ｕ字状に形成されている。
【００２３】
基部１１は、ワイヤハーネス２の長手方向に長い矩形板状に形成されており、ワイヤハーネス２の配索パターンに対応した形状となっている。基部１１の幅は、ワイヤハーネス２が収容可能なように、ワイヤハーネス２の径よりも大きく形成されている。
【００２４】
一対の側壁１２，１２の各々は、薄い板状に形成されており、基部１１の両側の縁部１１ａ，ｂから立設している。各側壁１２は、ワイヤハーネス２の配索パターンに対応した形状で、ワイヤハーネス２の長手方向に延在している。各側壁１２の高さは、ワイヤハーネス２の径よりも若干高くなるように形成されているが、ワイヤハーネス２の径とほぼ等しくなる高さとするなど適宜設定することができる。また、一方の側壁１２の端部からは、ワイヤハーネス２をガイドするガイド片１４が、断面略Ｌ字状に延在している。
【００２５】
収容部１３は、基部１１と一対の側壁１２，１２との互いの間に形成される空間となっている。収容部１３は、一対の側壁１２，１２の端部寄りが開口１３ａとなっており、該開口１３ａからワイヤハーネス２を収容部１３に収容可能な構成となっている。
【００２６】
蓋部２０は、蓋体２１と、一対の立設部２２，２２と、一対のアーム２３，２３と、を有しており、それらは合成樹脂等によって一体的に形成されている。蓋体２１は、ケース本体１０の収容部１３をふさぐように、開口１３ａに対応した形状かつ平板状に形成されている。各立設部２２，２２は、蓋体２１の側縁部から下方に向けて立設するように形成されている。
【００２７】
一対のアーム２３，２３は、互いに向かい合うように一対の立設部２２，２２の各々に形成されている。各アーム２３，２３は、各立設部２２の任意の部分から下方に向けて突出するように形成されている。各アーム２３，２３は、その先端寄りの外側の表面に係止突起２４が突設されており、ケース本体１０側の後述する係止受け部４０に係止することで、ケース本体１０と蓋部２０とを着脱自在に取り付ける構成となっている。また、各アーム２３，２３は、外側の表面に一対のガイド部２５を形成している。
【００２８】
一対の突出部３０，３０は、側壁１２，１２の長手方向における任意の部分、本実施形態では側壁１２，１２の端部寄りに形成されているが、該形成位置については適宜設定することができる。一対の突出部３０，３０は、一対の側壁１２，１２の各々に連なりかつ蓋部２０の表面側に突出するように形成されている。つまり、各突出部３０の高さは、ケース本体１０に蓋部２０が取り付けられたときに、蓋部２０の上面よりも高くなるように形成されている。
【００２９】
一対の突出部３０，３０の各々は、ケース本体１０の基部１１の両側から立設するように形成され、かつ、突出部３０とケース本体１０の側壁１２に一体的に形成されている。各突出部３０の厚さは、側壁１２よりも厚くなるように形成されている。このように、突出部３０を厚く形成し、かつ、側壁１２と一体形成することで、突出部３０に力Ｐが加えられても、突出部３０の変形、破損等を防止することができ、さらには、側壁１２の収容部１３への倒れ込みを防止することができる。
【００３０】
一対の突出部３０，３０の各々は、蓋部２０の表面側（図中の上面）から突出した部分が収容壁３１となっている。そして、一対の突出部３０，３０が相手部材５に当接すると、一対の収容壁３１と蓋部２０と相手部材５とに囲まれた空間が第２収容部３２となる。つまり、該第２収容部３２は、収容壁３１の高さによって設定することができるため、第２収容部３２に収容するハーネス３のサイズ等に対応して収容壁３１の高さが適宜設定される。なお、ハーネス３は、他の配線であり、例えば、導体と該導体を覆う被覆部とからなる電線となっているが、ワイヤハーネスなどとすることもできる。
【００３１】
また、側壁１２と突出部３０との間には、係止受け部４０を形成している。係止受け部４０は、図示しないが、上述したアーム２３を挿入する挿入孔と、アーム２３の係合突起２４と係合する係合孔とを有している。
【００３２】
次に、上述した構成のプロテクタ１の組み付け例を、構成、組立工程の異なるワイヤハーネス２とハーネス３を収容する場合に説明する。
【００３３】
ケース本体１０の開口１３ａから収容部１３にワイヤハーネス２が収容されると、該収容部１３を覆うように蓋部２０が一対の側壁１２に対して取り付けられる。なお、ワイヤハーネス２は、ケース本体１０に対してテープ等により固定しても、固定しなくてもどちらでも良い。
【００３４】
蓋部２０と一対の突出部３０，３０の各収容壁３１，３１との間に形成された第２収容部３２にハーネス３が配置され、この状態で第２収容部３２の開口を塞ぐように、各突出部３０，３０の先端を相手部材５に当接させることで、プロテクタ１が相手部材５に取り付けられる。なお、プロテクタ１は、一対の突出部３０，３０の側面等に形成された図示しない固定部によって相手部材５に固定されている。
【００３５】
以上説明した本発明のプロテクタ１によれば、一対の側壁１２，１２に連なり且つ蓋部２０の表面側に突出するように複数の突出部３０，３０を形成して、蓋部２０に直接力Ｐが加わることを防止するようにしたことから、蓋部２０の変形、破損等を防止することができるため、ケース本体１０の収容部１３に収容するワイヤハーネス２を確実に保護することができる。従って、プロテクタ１の安全性を向上させることができる。
【００３６】
また、突出部３０，３０を基部１１の両側から立設するとともに一対の側壁１２，１２に連なるように形成するようにしたことから、突出部３０，３０の強度を高めることができるため、蓋部２０の変形、破損等をより一層確実に防止することができる。
【００３７】
さらに、突出部３０，３０を側壁１２，１２に一体的に形成するようにしたことから、ケース本体１０の構造が複雑化することを防止することができる。また、基部１１の両側から立設させているので、側壁１２，１２及び突出部３０，３０の厚さを厚くすることができるため、側壁１２，１２の収容部１３への倒れ込みを防止することができる。
【００３８】
また、蓋部２０の表面側に突出した一対の突出部３０，３０と蓋部２０と相手部材５とに間に他のハーネス５を収容する第２収容部３２を形成し、構成、組立工程等が異なる他のハーネス５も収容して保護できるようにしたことから、従来２つのプロテクタ（部品）で保護していたものを、本発明のプロテクタ１のみで保護することができるため、コストダウンを図ることができる。また、組立工程等が異なる他のハーネス３も収容することができるため、組立設備等に自由度を持たせることができ、作業効率、生産効率等の向上を図ることができる。
【００３９】
なお、上述した本実施形態では、一対の突出部３０，３０をケース本体１０の各側壁１２の外側の形成して、蓋部２０の表面側に突出させる場合について説明したが、本発明はこれに限定するものではなく、例えば、蓋部２０貫通孔を形成し、該貫通孔から突出部を突出させる、突出部３０を側壁１２の内側に形成して前記貫通孔から突出させる、側壁１２の上端から突出部３０を延在させるなど種々異なる形態とすることができる。
【００４０】
また、一対の側壁１２，１２に対して一対の突出部３０，３０を形成する場合について説明したが、各側壁１２に対して２つ以上（複数）の突出部を形成するようにしても差し支えない。
【図面の簡単な説明】
【００４１】
【図１】本発明に係るプロテクタの外観を示す斜視図である。
【図２】図１中のプロテクタの蓋部を取り外したときの斜視図である。
【図３】図１中の直線Ｉ−Ｉを通る矢印方向の断面模式図である。
【図４】従来のプロテクタの一例を示す斜視図である。
【符号の説明】
【００４２】
１    プロテクタ
２    ワイヤハーネス（配線）
３    ハーネス（他の配線）
１０    ケース本体
１１    基部
１２    側壁
１３    収容部
２０    蓋部
３０    突出部
３１    収容壁
３２    第２収容部
【図１】
0004541302.tif 000002
【図２】
0004541302.tif 000003
【図３】
0004541302.tif 000004
【図４】
0004541302.tif 000005